(57)【特許請求の範囲】
【請求項１】
装置本体に着脱可能に支持される給紙カセットと、該給紙カセットの上方において用紙を所定の方向に搬送する搬送経路が形成された搬送ユニットと、を備え、
前記搬送ユニットは、前記装置本体に固定される固定ガイドと、前記搬送方向における一端を中心として前記固定ガイドの下方に回動可能に支持される可動ガイドと、前記固定ガイドと前記可動ガイドとのそれぞれに設けられて、互いに圧接して回転することで前記搬送経路に沿って用紙を搬送する搬送ローラーと、を有し、前記給紙カセットを前記装置本体から引き出した後で前記可動ガイドを下方に回動させることで前記搬送経路を開放可能に設けられた画像形成装置であって、
前記固定ガイドは、前記搬送方向と交差する用紙幅方向における一方の端部に設けられた被係合部を有し、
前記可動ガイドは、前記用紙幅方向における前記一方の端部に設けられて前記被係合部と係合可能な係合部を有し、
前記給紙カセットは、前記用紙幅方向における両方の端部に設けられた押圧部を有し、
前記可動ガイドは、前記用紙幅方向における両方の端部に設けられて、前記押圧部に当接することで前記可動ガイドが前記給紙カセットによって押し上げられて前記固定ガイドに対して位置決めされる被押圧部を有し、
前記用紙幅方向における他方の端部に設けられた前記押圧部は、前記被押圧部に対する押圧力を調整することで前記搬送ローラー間の圧接力を調整可能な調整機構を有することを特徴とする画像形成装置。
【請求項２】
前記調整機構は、前記被押圧部に当接して該非押圧部を上方へ押圧可能に設けられる偏心カムを有し、
前記偏心カムを回転させることで、前記被押圧部の前記押圧部に対する押圧力を調整可能であることを特徴とする請求項１に記載の画像形成装置。
【請求項３】
前記調整機構は、前記偏心カムを回転させるための操作部材を有していることを特徴とする請求項２に記載の画像形成装置。
【請求項４】
前記用紙幅方向における他方の端部に設けられた前記押圧部は、前記偏心カムを回転可能に支持する支持部と、該支持部に設けられて前記被押圧部と前記偏心カムとの当接状態を維持する規制部と、を有していることを特徴とする請求項２又は３に記載の画像形成装置。
【請求項５】
前記被押圧部は、下方に垂設された突片であり、
前記規制部は、前記用紙幅方向において所定の間隔を開けて前記支持部に設けられた側壁部であることを特徴とする請求項４に記載の画像形成装置。
【発明の詳細な説明】
【技術分野】
【０００１】
本発明は、搬送経路を形成する搬送ユニットを備える画像形成装置に関する。
【背景技術】
【０００２】
複写機やプリンター等の画像形成装置では、特許文献１に記載されているように、着脱可能な給紙カセットを装着することで、装置本体に支持された捌きローラーが押し上げられて、捌きローラーが位置決めされるように構成される場合がある。
【０００３】
また、着脱可能な給紙カセットを装着することで、装置本体に支持された両面搬送ユニットが押し上げられて位置決めされるように構成される画像形成装置もある。両面搬送ユニットは、装置本体に固定される固定ガイドと、固定ガイドの下方に回動可能に支持される可動ガイドと、を備えており、給紙カセットを引き出した後で可動ガイドを下方に回動させることで両面搬送経路が開放され、紙詰まり等の処理を行うようになっている。
【０００４】
この画像形成装置では、下方に突出する突片を可動ガイドに形成し、突片が当接する当て部を給紙カセットに形成し、給紙カセットを装着することにより当て部が突片に当接して、可動ガイドが給紙カセットで持ち上げられて、可動ガイドが固定ガイドに対して位置決めされるようになっている。このように可動ガイドと固定ガイドとが位置決めされることで、可動ガイドと固定ガイドとにそれぞれ設けられた搬送ローラーが適宜な圧力で当接して、両面搬送経路に沿って用紙が円滑に搬送される。
【先行技術文献】
【特許文献】
【０００５】
【特許文献１】特開２００１−３０１９９３号公報
【発明の概要】
【発明が解決しようとする課題】
【０００６】
しかしながら、突片を可動ガイドに形成し、突片が当接する当て部を給紙カセットに形成した画像形成装置では、用紙幅方向の両端部に突片と当て部とが形成されている場合が多い。この場合、突片と当て部との当接状態によっては、可動ガイドと固定ガイドとの相対位置が用紙幅方向において変化して、用紙幅方向における両ガイド間の圧力が変化する虞がある。すると、両面搬送経路を搬送される用紙のスキュー等の搬送不良等の問題が生じる。
【０００７】
本発明は上記事情を考慮し、用紙幅方向における固定ガイドと可動ガイド間の圧力を調整できる画像形成装置を提供することを目的とする。
【課題を解決するための手段】
【０００８】
上記課題を解決するため、本発明の画像形成装置は、装置本体に着脱可能に支持される給紙カセットと、該給紙カセットの上方において用紙を所定の方向に搬送する搬送経路が形成された搬送ユニットと、を備え、前記搬送ユニットは、前記装置本体に固定される固定ガイドと、前記搬送方向における一端を中心として前記固定ガイドの下方に回動可能に支持される可動ガイドと、前記固定ガイドと前記可動ガイドとのそれぞれに設けられて、互いに圧接して回転することで前記搬送経路に沿って用紙を搬送する搬送ローラーと、を有し、前記給紙カセットを前記装置本体から引き出した後で前記可動ガイドを下方に回動させることで前記搬送経路を開放可能に設けられた画像形成装置であって、前記固定ガイドは、前記搬送方向と交差する用紙幅方向における一方の端部に設けられた被係合部を有し、前記可動ガイドは、前記用紙幅方向における前記一方の端部に設けられて前記被係合部と係合可能な係合部を有し、前記給紙カセットは、前記用紙幅方向における両方の端部に設けられた押圧部を有し、前記可動ガイドは、前記用紙幅方向における両方の端部に設けられて、前記押圧部に当接することで前記可動ガイドが前記給紙カセットによって押し上げられて前記固定ガイドに対して位置決めされる被押圧部を有し、前記用紙幅方向における他方の端部に設けられた前記押圧部は、前記被押圧部に対する押圧力を調整することで前記搬送ローラー間の圧接力を調整可能な調整機構を有することを特徴とする。
【０００９】
このような構成を採用することにより、可動ガイドと固定ガイドとの間の圧力を用紙幅方向において変更できるので、用紙搬送経路の用紙幅方向における搬送力を調整することができ、斜め送り等の搬送不良を修正することができる。
【００１０】
本発明の画像形成装置において、前記調整機構は、前記被押圧部に当接して該非押圧部を上方へ押圧可能に設けられる偏心カムを有し、前記偏心カムを回転させることで、前記被押圧部の前記押圧部に対する押圧力を調整可能であることを特徴としても良い。
【００１１】
このような構成を採用することにより、簡易な機構によって被押圧部の押圧部に対する押圧力を調整することができる。
【００１２】
本発明の画像形成装置において、前記調整機構は、前記偏心カムを回転させるための操作部材を有していることを特徴としても良い。
【００１３】
このような構成を採用することにより、偏心カムを容易に回転させることができる。
【００１４】
本発明の画像形成装置において、前記用紙幅方向における他方の端部に設けられた前記押圧部は、前記偏心カムを回転可能に支持する支持部と、該支持部に設けられて前記被押圧部と前記偏心カムとの当接状態を維持する規制部と、を有していることを特徴としても良い。
【００１５】
このような構成を採用することにより、被押圧部と偏心カムとを安定に当接させて、可動ガイドと固定ガイドとの押圧力を適切に維持できるので、搬送経路内の搬送不良を防止できる。
【００１６】
本発明の画像形成装置において、前記被押圧部は、下方に垂設された突片であり、前記規制部は、前記用紙幅方向に所定の間隔を開けて前記支持部に設けられた側壁部であることを特徴としても良い。
【００１７】
このような構成を採用することにより、突片の用紙幅方向への移動を確実に規制することができるので、偏心カムと突片とを安定に当接させることができる。
【発明の効果】
【００１８】
本発明によれば、固定ガイドと可動ガイドとの間の圧力を用紙幅方向において調整できるので、用紙の搬送不良等を防止できる。
【図面の簡単な説明】
【００１９】
【図１】本発明の一実施形態に係るプリンターを示す斜視図である。
【図２】本発明の一実施形態に係るプリンターの内部構造を模式的に示す図である。
【図３】本発明の一実施形態に係るプリンターにおいて、両面搬送ユニットを示す斜視図である。
【図４】本発明の一実施形態に係るプリンターにおいて、両面搬送ユニットの固定ガイドと可動ガイドの係合部を示す斜視図である。
【図５】本発明の一実施形態に係るプリンターにおいて、両面搬送ユニットの固定ガイドと可動ガイドの係合部が互いに係合した状態を示す斜視図である。
【図６】本発明の一実施形態に係るプリンターにおいて、両面搬送ユニットの可動ガイドと給紙カセットの押圧部を模式的に示す図である。
【図７】本発明の一実施形態に係るプリンターにおいて、給紙カセットを示す斜視図である。
【図８】本発明の一実施形態に係るプリンターにおいて、給紙カセットの右押圧部の内外側壁部を示す斜視図である。
【図９】本発明の一実施形態に係るプリンターにおいて、給紙カセットの右押圧部の偏心カムと操作部材とを示す斜視図である。
【図１０】本発明の一実施形態に係るプリンターにおいて、可動ガイドの突片が給紙カセットの押圧部に当接している状態を示す斜視図である。
【図１１】本発明の一実施形態に係るプリンターにおいて、可動ガイドの突片が給紙カセットの押圧部に当接している状態を示す斜視図である。
【図１２】本発明の一実施形態に係るプリンターにおいて、給紙カセットの押圧部と可動ガイドの突片との当接状態を示す図である。
【図１３】本発明の一実施形態に係るプリンターにおいて、給紙カセットの押圧部によって可動ガイドの突片を下降させた状態を示す図である。
【図１４】本発明の一実施形態に係るプリンターにおいて、給紙カセットの押圧部によって可動ガイドの突片を上昇させた状態を示す図である。
【発明を実施するための形態】
【００２０】
以下、図面を参照しつつ、本発明の一実施形態に係る画像形成装置について説明する。
【００２１】
まず、図１及び図２を参照して、本実施形態に係る画像形成装置としてのプリンター１の全体の構成について説明する。図１はプリンターの斜視図、図２はプリンター１の内部構造を模式的に示す図である。以下の説明における前後方向及び左右方向は、図１に示す前後方向及び左右方向を示す。
【００２２】
プリンター１は、箱型形状の装置本体２を備えている。装置本体２は、底板２ａ及び天板２ｂと、左右側板２ｃ、２ｄと、前後側板２ｅ、２ｆと、で囲まれる中空部を有している。天板２ｂには、後方から前方へ向かって上方に傾斜した排紙トレイ４が形成されており、排紙トレイ４の後方には、排紙口５が形成されている。
【００２３】
中空部の下部には、用紙が収容される給紙カセット７が収容されている。給紙カセット７は、用紙が収容される収容部７ａと、装置本体２の前側板２ｅの下部を形成する前壁部７ｂと、を有している。給紙カセット７は、前後方向にスライドさせることで、装置本体２に対して着脱可能となっている。給紙カセット７の上部前方には、給紙カセット７から用紙を給紙する給紙装置８が設けられている。給紙装置８は、ピックアップローラー９及び給紙ローラー１０と、給紙ローラー１０に対向するリタードローラー１１と、を有している。
【００２４】
給紙カセット７の上方には、画像形成部１３が設けられている。画像形成部１３には、感光体ドラム１４が回転可能に設けられており、感光体ドラム１４の周囲には、帯電器１５と、現像装置１６と、転写ローラー１７と、クリーニング装置１８とが、感光体ドラム１４の回転方向に沿って配置されている。現像装置１６の上方には、トナーコンテナ１９が着脱可能に装着されている。転写ローラー１７と感光体ドラム１４との間には転写ニップ２０が形成されている。また、画像形成部１３の上方には、レーザー・スキャニング・ユニット（ＬＳＵ）で構成される露光器２１が設けられている。さらに、画像形成部１３の後方には、定着装置２２が設けられ、定着装置２２の上方には、排紙口５に面する排紙装置２３が設けられている。
【００２５】
装置本体２の内部には、給紙装置８から転写ニップ２０と定着装置２２とを通って排紙装置２３へ向かう用紙の主搬送経路２５が設けられている。主搬送経路２５には、給紙装置８の下流側に搬送ローラー２６が設けられ、搬送ローラー２６の下流側にレジストローラー対２７が設けられている。
【００２６】
さらに、給紙カセット７と画像形成部１３との間には、両面搬送ユニット３０が設けられている。両面搬送ユニット３０には、後端部に形成された入口３０ａから前端部に形成された出口３０ｂへ向かう両面搬送経路３２が形成されている。両面搬送ユニット３０の入口３０ａには、定着装置２２の下流側で主搬送経路２５から分岐した分岐経路３４が接続している。また、両面搬送ユニット３０の出口３０ｂには、搬送ローラー２６の上流側で主搬送経路２５に合流する合流経路３５が接続している。
【００２７】
次に、このような構成を備えたプリンター１の画像形成動作について説明する。画像形成部１３において、帯電器１５によって感光体ドラム１４の表面が帯電された後、露光器２１からのレーザー光により感光体ドラム１４に対して画像データに対応した露光が行われ、感光体ドラム１４の表面に静電潜像が形成される。静電潜像は現像装置１６によりトナー像に現像される。
【００２８】
一方、給紙装置８によって給紙カセット７から送り出された用紙は、上記した画像形成動作とタイミングを合わせて主搬送経路２５に沿って転写ニップ２０へ搬送され、転写ニップ２０において、感光体ドラム１４上のトナー像が用紙に転写される。トナー像を転写された用紙は、主搬送経路２５を下流側へと搬送されて定着装置２２に進入し、定着装置２２において用紙にトナー像が定着される。トナー像が定着された用紙は、排紙装置２３から排紙口５を通って排紙トレイ４に排出される。感光体ドラム１４上に残留したトナーは、クリーニング装置１８によって除去される。
【００２９】
両面印刷が行われる場合は、定着装置２２を通過して一方の面にトナー像が形成された用紙は、先端部が排紙装置２３によって排紙口５から排出された後でスイッチバックされて、後端部から分岐経路３４を通って両面搬送経路３２に搬送される。なお、定着装置２２の搬送方向下流側には分岐ガイド（図示省略）が配置されており、通常印刷時は用紙先端部を排紙口５に案内し、両面印刷時は用紙後端部を分岐経路３４に案内する。そして、合流経路３５を通って再度主搬送経路２５に沿って搬送され、画像形成部１３において他方の面に同様にトナー像が形成されて、定着装置２２によってトナー像が定着された後、排紙装置２３によって排紙トレイ４に排出される。
【００３０】
次に、図２と図３〜図６を参照して、両面搬送ユニット３０について説明する。図３は両面搬送ユニットを示す斜視図、図４は固定ガイドと可動ガイドとに形成された係合部を示す斜視図、図５は固定ガイドの係合部と可動ガイドの係合部とが係合した状態を示す斜視図、図６は両面搬送ユニットを正面側から見た模式図である。
【００３１】
両面搬送ユニット３０は、図３に示されるように、それぞれ平板状の固定ガイド４１と可動ガイド４２とを備えている。固定ガイド４１には、後端部に、用紙搬送方向と直交する用紙幅方向に沿った用紙の入口３０ａ（図７も参照）が形成されており、前端部には、用紙幅方向に沿った用紙の出口３０ｂが形成されている。また、固定ガイド４１の下面には、出口３０ｂよりも前方に、給紙装置８のピックアップローラー９と給紙ローラー１０とが回転可能に支持されている。さらに、固定ガイド４１の下面には、入口３０ａよりも後方に、一対の支軸（図示省略）が形成されている。一対の支軸は、用紙幅方向の両端部に、用紙幅方向に沿った同軸上に形成されている。
【００３２】
また、固定ガイド４１には、駆動ローラー４５が、両面搬送経路３２に突出して回転するように支持されている。駆動ローラー４５は、図６に模式的に示されているように、回転軸４５ａと、回転軸４５ａに所定の間隔を開けて周設された２個のローラー部４５ｂと、を有している。駆動ローラー４５は、固定ガイド４１の搬送方向中央付近に配置されて、回転軸４５ａの右端部が駆動源（図示省略）と接続している。
【００３３】
さらに、固定ガイド４１には、図４に示されるように、用紙幅方向における一端側（左側）の側面の前端部に、可動ガイド４２との被係合部としての矩形状の開口４７が形成されている。
【００３４】
固定ガイド４１は、図３に示されるように、給紙カセット７の上方において、装置本体２の左側板（図示省略）と右側板２ｄとに固定されている。
【００３５】
図３に示されるように、可動ガイド４２には、前端面の左端部に、前方に延びる取っ手５１が延設されている。また、可動ガイド４２の後端部には、固定ガイド４１に形成された一対の支軸に軸支される一対の軸受部（図示省略）が形成されている。一対の軸受部は、用紙幅方向の両端部に、用紙幅方向に沿った同軸上に延びるように形成されている。
【００３６】
さらに、可動ガイド４２には、２個の従動ローラー５３が、両面搬送経路３２に突出して回転するように支持されている。各従動ローラー５３は、図６に示されるように、回転軸５３ａと、回転軸５３ａに周設されたローラー部５３ｂと、を有しており、ローラー部５３ｂが、固定ガイド４１に支持された駆動ローラー４５の各ローラー部４５ｂに対応するように配置されている。
【００３７】
さらに、可動ガイド４２には、図４に示されるように、用紙幅方向における一端側（左側）の側面に、固定ガイド４１との係合部としての突部５５が形成されている。突部５５は、搬送方向に並んだ、側面視にて円弧状の外方向に突出した３個の突片５６によって形成されている。
【００３８】
また、図３や図５に示されるように、可動ガイド４２の左右側面には、突部５５よりも前方に、給紙カセット７によって押し上げられる被押圧部としての左右突片５８がそれぞれ垂設されている。左右突片５８は所定の幅を有し、下端部は円弧状に湾曲している。左右突片５８の下端部は、可動ガイド４２の下面よりも下方に突出している。
【００３９】
可動ガイド４２は、後端部に設けられた軸受部固定ガイド４１の各軸受部に軸支されることで、固定ガイド４１に対して回動可能に支持されている。取っ手５１を持って可動ガイド４２を上方向に回動させると、可動ガイド４２に形成された突部５５が、固定ガイド４１の開口４７の下縁部４７ａに当接する。突部５５は下縁部４７ａによって内側押圧されて弾性変形し、図５に示されるように、突部５５が開口４７に係合する。一方、給紙カセット７を装置本体２から引き出した後、取っ手５１を持って可動ガイド４２を下方に回動させると、突部５５が下縁部４７ａで押圧されて弾性変形して開口４７から離脱し、両面搬送経路３２が開放される。
【００４０】
次に、図６と、図７〜図９を参照して、給紙カセット７について説明する。図７は給紙カセットの斜視図、図８は右押圧部の内外側壁部を示す斜視図であり、図８は右押圧部の偏心カムを示す分解斜視図である。図７は、給紙カセットの上方に両面搬送ユニットが描かれている。
【００４１】
図７に示されるように、給紙カセット７の収容部７ａの前端部には、給紙装置８のリタードローラー１１（図２も参照）が回転可能に支持されている。リタードローラー１１は、給紙カセット７が装置本体２に装着されると、両面搬送ユニット３０の固定ガイド４１に支持された給紙ローラー１０と対向するようになっている。
【００４２】
また、収容部７ａの左右側板には、上面の前端部に、可動ガイド４２に設けられた左右突片５８に当接して押し上げる左右押圧部６１、６２がそれぞれ形成されている。
【００４３】
図６に示されるように、左押圧部６１は、左突片５８が当接する当接面６５と、内外側壁部６４と、を有している。当接面６５は、用紙搬送方向に沿って所定の長さを有する平面状に形成されている。内外側壁部６４は、左右方向に所定の間隔を開けて当接面６５に立設されており、平面視三角形状に形成されている。
【００４４】
右押圧部６２は、図６に示されるように、右突片５８に対する押圧力を調整する押圧力調整機構７０としての偏心カム６８（図９参照）と、偏心カム６８を回転可能に支持する内外側壁部６７（図８参照）と、を備えている。
【００４５】
図９に示されるように、偏心カム６８は、所定の幅の第１外周面６８ａと第２外周面６８ｂと、を有しており、中央にＤカット６９が形成されている。第１外周面６８ａは、Ｄカット６９の中心からの半径が最も小さい最小径位置Ｐ１から、半径の最も大きい最大径位置Ｐ２まで円周方向に沿って徐々に拡径するように形成されている。第２外周面６８ｂは、最小径位置Ｐ１よりも半径の大きい位置Ｐ３から最大径位置Ｐ２よりも半径の小さい位置Ｐ４まで円周方向に沿って徐々に拡径するように形成されている。第１外周面６８ａは、偏心カム６８の外周面の約４／５に沿って形成されており、第２外周面６８ｂは、偏心カム６８の外周面の約１／５に沿って形成されている。また、第１外周面６８ａの最大径位置Ｐ２と第２外周面６８ｂの位置Ｐ３との間、第２外周面６８ｂの位置Ｐ４と第１外周面６８ａの最小径位置Ｐ１との間は、それぞれ略径方向に延びる傾斜面６８ｃ、６８ｄで接続されている。
【００４６】
図８に示されるように、内外側壁部６７は、左右方向に所定の間隔を開けて立設されており、それぞれの上端部６７ａは側面視三角形状に形成されている。外側壁部６７の外面には、円形の凹部６７ｂが形成されている。凹部６７ｂの中心には、用紙幅方向に延びる軸孔６７ｃが形成されている。内側壁部６７には、軸孔６７ｃと同軸上の軸孔６７ｃが形成されている。
【００４７】
偏心カム６８は、操作部材７１によって内外側壁部６７間に支持されている。操作部材７１は、円盤状のハンドル部７２と、ハンドル部７２の中央に立設された支軸部７３と、を有している。支軸部７３は、断面形状がＤ字状であり、偏心カム６８のＤカット６９に係合可能となっている。操作部材７１の支軸部７３を外側壁部６７の軸孔６７ｃを通して偏心カム６８のＤカット６９に貫通させ、内側壁部６７の軸孔６７ｃに通して抜け止めすることで、偏心カム６８は、内外側壁部６７間に支持されて操作部材７１によって支軸部７３を中心に回転可能となる。操作部材７１のハンドル部７２は、外側壁部６７の凹部６７ｂに収容される。通常時は、偏心カム６８は、第２外周面６８ｂが最上面となるように操作部材７１によって支持されている。また、内外側壁部６７の上端部６７ａは、偏心カム６８よりも上方に突出している。
【００４８】
上記構成を有するプリンター１における、両面搬送ユニット３０と給紙カセット７との装着状態について、図６と、図１０〜図１１を参照して説明する。図１０と図１１は右押圧部を示す斜視図である。
【００４９】
両面搬送ユニット３０の可動ガイド４２の突部５５を固定ガイド４１の開口４７に係合させた後、給紙カセット７を装置本体２に装着すると、給紙カセット７に形成された左右押圧部６１、６２は、両面搬送ユニット３０の可動ガイド４２に形成された左右突片５８に下方から当接する。つまり、図６に示されるように、左押圧部６１においては、内外側壁部６４間の当接面６５に、可動ガイド４２の左突片５８の下端面が当接する。一方、右押圧部６２においては、図１０や図１１にも示されるように、内外側壁部６７間の偏心カム６８の第２外周面６８ｂに、右突片５８の下端面が当接して、左右突片５８の下端面の高さは同じ高さとなっている。この際の左右突片５８の下端面の高さを通常高さとする。
【００５０】
このように左右突片５８が左右押圧部６１、６２に当接することにより、可動ガイド４２が給紙カセット７によって押し上げられて、固定ガイド４１に対して位置決めされる。給紙カセット７は、給紙装置８の給紙性能を確保するため、装置本体２に対して高精度で位置決めされているので、給紙カセット７で押し上げられることで可動ガイド４２も高い精度で位置決めが可能となる。これにより、図６に示されるように、固定ガイド４１に支持された駆動ローラー４５の各ローラー部４５ｂと可動ガイド４２に支持された各従動ローラー５３のローラー部５３ｂとが適宜な圧力で圧接されて、両面搬送経路３２を用紙が搬送可能となる。
【００５１】
前述のように、右押圧部６２においては、可動ガイド４２の右突片５８の下端面と偏心カム６８の第２外周面６８ｂとが当接している。偏心カム６８は、操作部材７１によって内外側壁部６７間に回転可能に支持されているので、操作部材７１のハンドル部７２を持って支軸部７３を回転させると、操作部材７１と共に偏心カム６８が回転する。すると、右突片５８の下端面が当接する位置が円周方向に沿って移動し、右突片５８の下端面の高さが変わる。
【００５２】
偏心カム６８の回転による右突片５８の下端面の高さの変化について、図１２〜図１４を参照して説明する。図１２〜図１４は、互いに当接している右突片と偏心カムとを示す図であり、図１２は通常高さ、図１３は通常高さよりも低い高さ、図１４は通常高さよりも高い高さを示す。
【００５３】
図１２に示される通常状態では、前述のように、右突片５８の下端面が第２外周面６８ｂに当接している。操作部材７１によって偏心カムを図１２の反時計回り方向（図１２の矢印で示される方向）に回転させると、図１３に示されるように、右突片５８の下端面は、第２外周面６８ｂを離れて第１外周面６８ａの最小径位置Ｐ１の近傍に当接し、右突片５８の下端面の高さは、通常高さよりも低くなる。さらに偏心カム６８を図１３の反時計回り方向に回転させると、右突片５８の下端面は、第１外周面６８ａに沿って摺動し、右突片５８の下端面の高さは徐々に高くなる。そして、図１４に示されるように、右突片５８の下端面が第１外周面６８ａの最大径位置Ｐ１の手前に達するまで偏心カム６８を回転させると、右突片５８の下端面の高さは、通常高さよりも高くなる。
【００５４】
このように右突片５８の下端面の高さが変わることで、図６の二点鎖線に示されるように、可動ガイド４２の右端部が押し上げられる高さが変わるので、可動ガイド４２に支持された右側の従動ローラー５３のローラー部５３ｂと固定ガイド４１に支持された駆動ローラー４５の右側のローラー部４５ｂとの圧接力が変化する。
【００５５】
可動ガイド４２と固定ガイド４１とは、それぞれ左側板に形成された突部５５と開口４７とが係合していると共に、可動ガイド４２の左突片５８が左押圧部６１の当接面６５に対して位置決めされているので、可動ガイド４２の左側の従動ローラー５３のローラー部５３ｂと、固定ガイド４１の駆動ローラー４５の左側のローラー部５３ｂとの圧接力はほぼ不変である。
【００５６】
一方で、可動ガイド４２と固定ガイド４１とは、右側では係合しておらず、右押圧部６２において可動ガイド４２が給紙カセット７によって押し上げられる高さは、前述のように可変である。つまり、可動ガイド４２の右側の従動ローラー５３のローラー部５３ｂと、固定ガイド４１の駆動ローラー４５の右側のローラー部４５ｂとの圧接力は可変である。
【００５７】
したがって、両面搬送経路３２で斜め送りが発生した場合には、右押圧部６２において操作部材７１を回動させることで、可動ガイド４２の右側の従動ローラー５３のローラー部５３ｂと、固定ガイド４１の駆動ローラー４５の右側のローラー部４５ｂとの圧接力を調整することができ、斜め送りを修正できる。具体的には、操作部材を図１１の反時計回り方向に回動させることで、右突片５８が押し上げられる高さが徐々に高くなり、右側のローラー部４５ｂ、５３ｂ間の圧接力が高くなる。
【００５８】
上記説明したように本発明のプリンター１においては、給紙カセット７の操作部材７１を操作して偏心カム６８を回転させることで、駆動ローラー４５の各ローラー部４５ｂと各従動ローラー５３のローラー部５３ｂ間の圧接力を用紙幅方向において調整することができる。したがって、両面搬送経路３２で斜め送りが生じた際には、適宜な圧接力となるように操作部材７１を持って偏心カム６８を回転させることで、簡易な機構かつ容易な方法で修正することができる。
【００５９】
さらに、可動ガイド４２の左突片５８は、給紙カセット７の左押圧部６１に形成された内外側壁部６４によって、当接面６５からの用紙幅方向への移動が規制されて、左突片５８と当接面６５とを安定に当接させることができる。また、可動ガイド４２の右突片５８は、給紙カセット７の右押圧部６１に形成された内外側壁部６７の上端部６７ａによって、偏心カム６８の外周面からの用紙幅方向への移動が規制されて、右突片５８と偏心カム６８とを安定に当接させることができる。
【００６０】
したがって、保管時や搬送時にプリンター１に衝撃や振動が加わっても、可動ガイド４２の左右突片５８が給紙カセット７の左右押圧部６１、６２から離脱せず、左右突片５８と左右押圧部６１、６２との当接状態が維持されるので、可動ガイド４２は給紙カセット７によって押し上げられて、固定ガイド４１との位置関係を適正に維持することができる。なお、給紙カセット７が装着された状態では、用紙搬送方向において、左右突片５８の位置と左右押圧部６１、６２との位置はほぼ変位しないので、左右突片５８が、左右押圧部６１、６２から用紙搬送方向へ移動して離脱するようなことはない。
【００６１】
なお、左右押圧部６１、６２の双方に必ずしも内外側壁部６４、６７を設ける必要はなく、右押圧部６２のみに内外側壁部６７を設けてもよい。この場合、給紙カセット７の装着時に可動ガイド４２との干渉を防いで、給紙カセット７を円滑に装着することができる。また、用紙が昇降可能に載置される昇降板（図示省略）のリフト機構（図示省略）が、給紙カセット７の右側に設けられている場合は、右突片５８の用紙幅方向外側にスペースが形成されるので、右押圧部６２から右突片５８が脱落しやすいという問題がある。そこで、右押圧部６２にのみ内外側壁部６７を設けることで、右突片５８の脱落を防止できる。
【００６２】
なお、本実施形態では、右押圧部６２において、右突片５８を偏心カム６８に当接させるように構成したが、左押圧部６１においても、左突片５８を偏心カムに当接させるように構成してもよい。また、偏心カム６８の外周面の形状は、適宜変更することができる。
【００６３】
上記した本発明の実施形態の説明は、本発明に係る画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６４】
１  プリンター（画像形成装置）
２  装置本体
７  給紙カセット
３０  両面搬送ユニット（搬送ユニット）
４１  固定ガイド
４２  可動ガイド
４５  駆動ローラー（搬送ローラー）
４７  開口（被係合部）
５３  従動ローラー（搬送ローラー）
５５  突部（係合部）
５８  突片（被押圧部）
６１、６２  押圧部
６４  内外側壁部（規制部）
６７  内外側壁部（支持部）
６７ａ  上端部（規制部）
６８  偏心カム
７０  調整機構
７１  操作部材
【図１】
0006365512.tif 000002
【図２】
0006365512.tif 000003
【図３】
0006365512.tif 000004
【図４】
0006365512.tif 000005
【図５】
0006365512.tif 000006
【図６】
0006365512.tif 000007
【図７】
0006365512.tif 000008
【図８】
0006365512.tif 000009
【図９】
0006365512.tif 000010
【図１０】
0006365512.tif 000011
【図１１】
0006365512.tif 000012
【図１２】
0006365512.tif 000013
【図１３】
0006365512.tif 000014
【図１４】
0006365512.tif 000015